(57)【特許請求の範囲】
【請求項１】
複数の脚柱のそれぞれの上部に、天板支持体と、前記脚柱の上端同士を連結する脚柱連結体とを設け、前記天板支持体と前記脚柱連結体の上方に天板を支持するテーブルにおける天板の支持構造であって、前記脚柱の上端部に設けた受座の外周部に複数形成された凹部と、前記天板支持体の脚柱側端部及び前記脚柱連結体の両先端部に形成された凸部との凹凸嵌合手段により嵌合し、且つ固定すると共に、前記受座は、前記凹部を形成した円盤状のフランジ部と前記脚柱に嵌合する円筒部とから成ることを特徴とするテーブルにおける天板の支持構造。
【請求項２】
前記天板支持体の脚柱側端部及び前記脚柱連結体の両先端部に、前記円盤状のフランジ部と嵌合する段部を形成した請求項１に記載のテーブルにおける天板の支持構造。
【請求項３】
前記段部の先端が前記受座の円筒部と係合するようになっている請求項２に記載のテーブルにおける天板の支持構造。
【請求項４】
前記受座及び前記天板支持体の脚柱と対向する端部が天板との結合部となる請求項１ないし３のいずれかに記載のテーブルにおける天板の支持構造。
【発明の詳細な説明】
【０００１】
【発明の属する技術分野】
本発明は、脚柱の上部に設けた天板支持体と脚柱連結体の上方に天板を支持するテーブルにおける天板の支持構造に関する。
【０００２】
【従来の技術】
従来の天板を支持する構造として、例えば図６に示すようなカステリ・トラストが知られていた。これは、図６において、天板支持体１や脚柱連結体２のテーパ面Ｔが形成されている脚柱側支持基部１Ａ，２Ａを脚柱３の中空部に挿入し、脚柱３の上方よりテーパ面Ｔを外方に押し広げる拡張部材４をねじ５で移動させて、脚柱側支持基部１Ａ，２Ａを脚柱３の中空内面に押し付ける固定法である。
【０００３】
また、他の天板支持構造として、本出願人の先願に係る図７に示したもの（特願平１１−３１５３９８号）がある。これは、脚柱６の上端に受座７をねじ８により固定し、脚柱連結体９の脚柱側支持端に形成した段部９ａを受座のフランジ７ａに嵌合させた上で、固定ねじ１０で受座７を介してねじ孔９ｂに螺合して取付けたものである。
【０００４】
【発明が解決しようとする課題】
しかしながら、上述のカステリ・トラストによる固定法は、天板支持体１や脚柱連結体２の脚柱側支持基部１Ａ，２Ａを脚柱３の中空部に挿入しながら拡張部材４の押し込み作業をしなければならず、極めて作業性が悪く、しかも支持基部１Ａ、２Ａが脚柱の中空内面と沿うように成形されていても、面接触であるため外力により横ずれを起こす恐れもあった。
【０００５】
図７に示した先願に係るものは、脚柱連結体９の脚柱側支持端を受座７に取付ける際、受座のフランジ７ａが円盤状に形成されているから、脚柱連結体９の脚柱側支持端がフランジ７ａ回りに回転しやすく、固定ねじ１０の挿通位置に脚柱連結体９の脚柱側支持端に形成されているねじ孔９ｂを合わせる作業に手間がかかっていた。
【０００６】
本発明は、このような状況に鑑みてなされたもので、受座に対して天板支持体や脚柱連結体を取付ける際に位置決め固定が容易にでき、しかも天板支持体や脚柱連結体に外力が作用してもずれることがないテーブルにおける天板の支持構造を提供することを目的とするものである。
【０００７】
【課題を解決するための手段】
上記課題を解決するために、本発明のテーブルにおける天板の支持構造は、複数の脚柱のそれぞれの上部に、天板支持体と、前記脚柱の上端同士を連結する脚柱連結体とを設け、前記天板支持体と前記脚柱連結体の上方に天板を支持するテーブルにおける天板の支持構造であって、前記脚柱の上端部に設けた受座の外周部に複数形成された凹部と、前記天板支持体の脚柱側端部及び前記脚柱連結体の両先端部に形成された凸部との凹凸嵌合手段により嵌合し、且つ固定すると共に、前記受座は、前記凹部を形成した円盤状のフランジ部と前記脚柱に嵌合する円筒部とから成ることを特徴としている。
この特徴によれば、受座に対し、天板支持体の脚柱側端部及び脚柱連結体の両先端部が凹凸嵌合により回り止めされているので、天板支持体や脚柱連結体の取付けに際し、取付け位置が確実に固定され、且つ、取付け後に天板支持体や脚柱連結体に外力が作用した場合でも、凹凸嵌合により位置ずれが阻止できる。また凹部を受座の外周部に形成することができるので、凹部の製作が比較的容易となり、天板支持体や脚柱連結体の回り止めと受座の支持を、フランジ部と円筒部という簡素な受座構造で果たせる。
【００１０】
本発明のテーブルにおける天板の支持構造は、前記天板支持体の脚柱側端部及び前記脚柱連結体の両先端部に、前記円盤状のフランジ部と嵌合する段部を形成することが好ましい。
このようにすれば、段部により、天板支持体や脚柱連結体脚部が受座に対して位置ずれの少ない固定関係が維持できる。
【００１１】
本発明のテーブルにおける天板の支持構造は、前記段部の先端が前記受座の円筒部と係合するようになっていることが好ましい。
このようにすれば、天板支持体や脚柱連結体脚部が受座に対して係合する箇所が増え、両者のより確実な固定関係が確立される。
【００１２】
本発明のテーブルにおける天板の支持構造は、前記受座及び前記天板支持体の脚柱と対向する端部が天板との結合部となることが好ましい。
このようにすれば、脚柱を中心として結合箇所が外側に広がったバランスの良い天板支持が実現できる。
【００１３】
【発明の実施の形態】
以下、本発明の実施例を図面に基づいて説明すると、図１は天板の一部と２本の脚部が示された本発明のテーブルの組立分解図の斜視図であって、２本の脚部２０（２０Ａ、２０Ｂ）は、脚柱２２（２２Ａ、２２Ｂ）と、脚柱の下端に取付けた脚ベース体２４（２４Ａ、２４Ｂ）と、それぞれの脚柱の上端に取付けた脚柱連結体２６と天板支持体２８（２８Ａ、２８Ｂ）とから成り、この脚柱連結体と天板支持体の上方に天板３０を支持するようになっている。
【００１４】
図１は天板３０の一端部の下方にある２本の脚部２０Ａ，２０Ｂを示したものであるから、脚柱を中心としてそれぞれ２本の脚柱連結体２６及び２本の天板支持体２８Ａ、２８Ｂが脚柱上端に取り付けられているが、脚部の天板を支持する場所によって、脚柱上端に取付ける脚柱連結体と天板支持体の数と方向は変更される。
【００１５】
本発明は、天板支持体２８の脚柱側端部及び脚柱連結体２６の両先端部を受座３２を介して脚柱２２の上端に確実に固定することにあり、更に具体的には脚柱連結体と天板支持体の取付け構造を示した図２、図３に基づいて説明する。
【００１６】
図２は脚柱連結体２６と天板支持体２８が脚柱２２に取付けられる前の状態を示した斜視図であり、図３は、受座３２の上面図である。図２において、脚柱２２は例えば中空引き抜きで成形されたパイプで構成され、パイプ内部には上端から下端まで２本の凸条２２ａが直線状に延びていて、受座３２の脚柱２２のパイプ内面と嵌合する下部円筒部３２ａの外周部に形成した２つの凹条３２ａ’（一つのみ図示されている。）が前記２つの凸条２２ａと係合して相対的な両者の回転移動が規制されている。
【００１７】
受座３２は下部円筒部３２ａに続いて上方に上部円筒部３２ｂ、更にその上にフランジ部３２ｃが形成されている。上部円筒部３２ｂは、天板支持体２８の脚柱側端部及び脚柱連結体２６の両先端部が受座３２に取り付けられたとき、脚柱連結体２６や天板支持体２８の一端に形成されている上部円筒部３２ｂの外周曲率とほぼ等しい下方円筒凹面２６ａ，２８ａと係合する。
【００１８】
フランジ部３２ｃには、図３に示すように、９０度づつずれた４箇所の外周位置に凹部３２ｃ’が形成されており、これらの凹部は脚柱連結体２６や天板支持体２８の一端上部に形成した凸部２６ｂ、２８ｂと嵌合する。凹部３２ｃ’はフランジ部３２ｃの外周に形成してあるので、カッタにより容易に製作できる。また、この凸部２６ｂ、２８ｂ近傍の上方円筒凹面２６ｄ、２８ｄは、その曲率がフランジ部３２ｃの周側面の曲率と一致している。４つの凹部３２ｃ’の形状は全て同じとし、一方、脚柱連結体２６及び天板支持体２８に形成した凸部２６ｂ、２８ｂを同一形状としおくと、これら凸部は受座３２の４箇所の凹部３２ｃ’のどれにも凹凸嵌合でき、したがって、脚柱連結体２６或いは天板支持体２８は任意の凹部３２ｃ’位置に取付けることができる。
【００１９】
脚柱連結体２６及び天板支持体２８の凸部２６ｂ、２８ｂが形成されたところはフランジ部３２ｃの厚み分だけ段部２６ｃ、２８ｃが形成され、脚柱連結体２６及び天板支持体２８の下方円筒凹面２６ａ，２８ａが上部円筒部３２ｂと係合できるようにすると共に、段部２６ｃ、２８ｃの上面がフランジ部３２ｃの下面と係合し、しかも凸部２６ｂ、２８ｂ近傍の上方円筒凹面２６ｄ、２８ｄがフランジ部３２ｃの周側面と係合しているので、脚柱連結体２６及び天板支持体２８の受座３２に対する取付け位置が確実に固定され、取付け作業性が向上する。最終的には、固定ねじ３４を脚柱連結体２６、天板支持体２８の下方からねじ挿通孔２６ｅ，２８ｅに挿入してフランジ部３２ｃに設けたねじ孔３２ｄに螺合させることで、脚柱連結体２６或いは天板支持体２８を受座３２の４つの位置に適宜取付けることができる。またフランジ部３２ｃには天板３０と固定ねじ３８によりねじ結合するための４つのねじ挿通孔３２ｅも形成されている。
【００２０】
図４は、脚柱連結体２６を分離状態にした上面図であって、受座３２に取付けられる接続部２６Ａと中間連結部２６Ｂとで構成されている。接続部２６Ａは受座３２との取付けで説明したように、一端部に下方円筒凹面２６ａ、凸部２６ｂ、段部２６ｃ及び上方円筒凹面２６ｄが形成され、かつこの段部には取付けのためのねじ挿通孔２６ｅも形成されている。一方、接続部２６Ａの他端部には中間連結部２６Ｂと接続するためのＵ字状突部２６ｆが設けられて、ここに中間連結部２６Ｂとの結合のための２つのねじ孔２６ｇが形成されている。中間連結部２６Ｂは角パイプ状であり、接続部２６ＡのＵ字状突部２６ｆと嵌合でき、嵌合後は、２本のねじ（図示せず）により一体化される。この中間連結部２６Ｂは隣り合う脚部の距離に応じて適切な長さのものを使用することは言うまでもない。
【００２１】
図５は天板支持体２８の上面図であって、一端部には、受座３２に取付けるための先に説明した、下方円筒凹面２８ａ、凸部２８ｂ、段部２８ｃ及び上方円筒凹面２８ｄが形成され、かつこの段部には取付けのためのねじ挿通孔２８ｅも形成されている。一方、天板支持体２８の脚柱２２と対向する他端部には天板３０と結合するための３つのねじ挿通孔２８ｆが設けられている。
【００２２】
天板３０と脚部１０の結合は、図１に示すように、この３つのねじ挿通孔２８ｆと螺合する固定ねじ３６と、受座フランジ２２ｃに形成した４つのねじ孔２２ｅと螺合する固定ねじ３８（図２に３つ示してある）とで行われる。このように、受座３２及び天板支持体２８の脚柱と対向する端部が天板３０との結合箇所となるので、脚柱を中心として結合箇所が外側に広がったバランスの良い天板支持が実現できる。
【００２３】
上述の説明では、受座３２に凹部３２ｃ’を、天板支持体２８の脚柱側端部及び脚柱連結体２６の両先端部に凸部２８ｂ、２６ｂを形成して、凹凸嵌合により位置固定を図るものであったが、これとは逆に、受座３２に凸部を、天板支持体２８の脚柱側端部及び脚柱連結体２６の両先端部に凹部を形成するようにして位置固定してもよい。
【００２４】
図１に示すように、脚柱２２（２２Ａ，２２Ｂ）の下部には、床面に対してテーブルを安定に支持するための脚ベース体２４（２４Ａ，２４Ｂ）が取付けられていると共に、脚柱間には両者をつなぐ脚ベース連結体４０が設けられている。脚ベース体２４は脚柱２２に対して任意の角度位置で固定できるように構成されている。一方、脚ベース連結体４０は接続部４０Ａと中間連結部４０Ｂから成り、接続部４０Ａは、脚ベース体２４の脚柱２２との嵌合側下部に、任意の回転位置で固定できるように構成されている。また、脚ベース体２４の脚柱２２との嵌合側と反対側に位置する部分には、床と接地する床当接体２４’が設けられている。
【００２５】
受座３２，脚柱２２，脚ベース体２４及び接続部４０Ａの４者の接続は、図１に示すように、１本の通しねじ４２により行われる。通しねじ４２は、受座３２の上方より脚柱２２内を通って脚ベース体２４より接続部４０Ａのねじ孔４０ａまで達している。
【００２６】
【発明の効果】
本発明は以下の効果を奏する。
【００２７】
（ａ）請求項１項の発明によれば、受座に対し、天板支持体の脚柱側端部及び脚柱連結体の両先端部が凹凸嵌合により回り止めされているので、天板支持体や脚柱連結体の取付けに際し、取付け位置が確実に固定され、且つ、取付け後に天板支持体や脚柱連結体に外力が作用した場合でも、凹凸嵌合により位置ずれが阻止できる。また凹部を受座の外周部に形成することができるので、凹部の製作が比較的容易となり、天板支持体や脚柱連結体の回り止めと受座の支持を、フランジ部と円筒部という簡素な受座構造で果たせる。
【００３０】
（ｂ）請求項２項の発明によれば、段部により、天板支持体や脚柱連結体脚部が受座に対して位置ずれの少ない固定関係が維持できる。
【００３１】
（ｃ）請求項３項の発明によれば、天板支持体や脚柱連結体脚部が受座に対して係合する箇所が増え、両者のより確実な固定関係が確立される。
【００３２】
（ｄ）請求項４項の発明によれば、脚柱を中心として結合箇所が外側に広がったバランスの良い天板支持が実現できる。
【図面の簡単な説明】
【図１】天板の一部と２本の脚部を示した本発明テーブルの組立分解図の斜視図である。
【図２】脚柱連結体と天板支持体が脚柱に取り付けられる前の状態を示した本発明の斜視図である。
【図３】本発明の受座の上面図である。
【図４】本発明の脚柱連結体の分離状態にした上面図である。
【図５】本発明の天板支持体の上面図である。
【図６】従来のカステリ・トラストによる天板支持構造を示す斜視図である。。
【図７】本出願人の先願に係る天板支持構造の分解斜視図である。
【符号の説明】
２０（２０Ａ，２０Ｂ）      脚部
２２（２２Ａ，２２Ｂ）      脚柱
２２ａ                      凸条
２４（２４Ａ，２４Ｂ）      脚ベース体
２４’                      床当接体
２６                        脚柱連結体
２６Ａ                      接続部
２６ａ                      下方円筒凹面
２６ｂ                      凸部
２６ｃ                      段部
２６ｄ                      上方円筒凹面
２６ｅ                      ねじ挿通孔
２６ｆ                      Ｕ字状突部
２６ｇ                      ねじ孔
２６Ｂ                      中間連結部
２８（２８Ａ，２８Ｂ）      天板支持体
２８ａ                      下方円筒凹面
２８ｂ                      凸部
２８ｃ                      段部
２８ｄ                      上方円筒凹面
２８ｅ                      ねじ挿通孔
２８ｆ                      ねじ挿通孔
３０                        天板
３２                        受座
３２ａ                      下部円筒部
３２ａ’                    凹条
３２ｂ                      上部円筒部
３２ｃ                      フランジ部
３２ｃ’                    凹部
３２ｄ                      ねじ孔
３２ｅ                      ねじ挿通孔
３４                        固定ねじ
３６                        固定ねじ
３８                        固定ねじ
４０                        脚ベース連結体
４０Ａ                      接続部
４０ａ                      ねじ孔
４０Ｂ                      中間連結部
４２                        通しねじ
【図１】
0004536253.tif 000002
【図２】
0004536253.tif 000003
【図３】
0004536253.tif 000004
【図４】
0004536253.tif 000005
【図５】
0004536253.tif 000006
【図６】
0004536253.tif 000007
【図７】
0004536253.tif 000008